(57)【特許請求の範囲】
【請求項１】
汚物を受ける水洗大便器本体と、該水洗大便器本体の上面後方に固定される固定部材と、該固定部材に取り付けられて局部洗浄を行う局部洗浄装置と、該局部洗浄装置に接続された基端部を有する管状部材とを備えた水洗大便器装置であって、
前記管状部材が、前記水洗大便器本体の上面後方部位に形成された導通部を介して前記水洗大便器装置の外部に設けられた接続部と接続され、
前記導通部が、前記水洗大便器本体の上面と内部とを連通する貫通孔と、該貫通孔と連通して前記管状部材を前記貫通孔に導く凹状案内路とを有し、
前記導通部の貫通孔の少なくとも一部が、前記固定部材により覆われ、
前記管状部材が、前記固定部材と前記凹状案内路との間に形成された隙間を通って前記貫通孔に挿通されていることを特徴とする水洗大便器装置。
【請求項２】
前記導通部の凹状案内路が、前記固定部材の長手方向の端部よりも内側に位置していることを特徴とする請求項１に記載の水洗大便器装置。
【請求項３】
前記管状部材の基端部が、前記固定部材の長手方向の一端近傍に位置しており、
前記導通部の貫通孔が、前記固定部材の長手方向の他端近傍に位置していることを特徴とする請求項１または請求項２に記載の水洗大便器装置。
【請求項４】
前記管状部材の基端部と前記水洗大便器本体の導通部とが、前記固定部材の長手方向の中心線に対して前記水洗大便器本体の幅方向のいずれか一方に配置されていることを特徴とする請求項１または請求項２に記載の水洗大便器装置。
【請求項５】
前記管状部材が、前記局部洗浄装置へ洗浄水を供給する給水管および前記局部洗浄装置へ電力を供給する電気ケーブルのいずれかであることを特徴とする請求項１乃至請求項４のいずれか１項に記載の水洗大便器装置。
【発明の詳細な説明】
【技術分野】
【０００１】
本発明は、汚物を受ける水洗大便器本体と、この水洗大便器本体の上面後方に固定される固定部材と、この固定部材に取り付けられて局部洗浄を行う局部洗浄装置と、この局部洗浄装置に接続された基端部を有する管状部材とを備えた水洗大便器装置に係わり、特に、管状部材の一部が水洗大便器本体内部に収納されている水洗大便器装置に関する。
【背景技術】
【０００２】
従来から、水洗大便器本体の上面後方に固定された固定部材に対し、局部洗浄を行うための機能部を収納した局部洗浄装置（衛生洗浄装置）を固定した水洗大便器装置が知られている（例えば、特許文献１参照。）。
このような水洗大便器装置においては、局部洗浄装置に接続された給水管や電源コード等の管状部材を壁面の給水接続部および電源接続部等と接続する際に、給水管や電源コード等の管状部材を水洗大便器本体の内部に収納することが行われている。
【０００３】
特に特許文献１には、水洗大便器本体の上面後方に固定された固定部材の長手方向の一端近傍に貫通孔が形成され、給水管や電源コードがこの貫通孔を通って水洗大便器本体の背面から延出されることで、給水管や電源コードの端部以外を水洗大便器本体内に隠蔽し見栄えをよくした水洗大便器装置が記載されている。
【先行技術文献】
【特許文献】
【０００４】
【特許文献１】特開２０１４−１４７４４５号公報
【発明の概要】
【発明が解決しようとする課題】
【０００５】
しかしながら、上述した従来の水洗大便器装置では、給水管の剛性が高いことにより、給水管の取り回しに制約が生じるため、給水管や電源コードを貫通孔に挿通することが難しいという問題があった。
そして、近年、水洗大便器装置の意匠性を向上させるために、水洗大便器装置を小型化させる要望が高まっており、水洗大便器装置の各部材の小型化が要請されている。
このため、水洗大便器装置の小型化が進む中で、固定部材と重ならない位置に貫通孔を設けることが困難になってきている。
【０００６】
そこで、本発明が解決しようとする技術的課題、すなわち、本発明の目的は、固定部材と貫通孔の一部とが重なっているような小型化された水洗大便器装置であっても、局部洗浄装置を水洗大便器本体に着脱する際に管状部材を簡便に水洗大便器本体内に挿通することである。
【課題を解決するための手段】
【０００７】
本請求項１に係る発明は、汚物を受ける水洗大便器本体と、該水洗大便器本体の上面後方に固定される固定部材と、該固定部材に取り付けられて局部洗浄を行う局部洗浄装置と、該局部洗浄装置に接続された基端部を有する管状部材とを備えた水洗大便器装置であって、前記管状部材が、前記水洗大便器本体の上面後方部位に形成された導通部を介して前記水洗大便器装置の外部に設けられた接続部と接続され、前記導通部が、前記水洗大便器本体の上面と内部とを連通する貫通孔と、該貫通孔と連通して前記管状部材を前記貫通孔に導く凹状案内路とを有し、前記導通部の貫通孔の少なくとも一部が、前記固定部材により覆われ、前記管状部材が、前記固定部材と前記凹状案内路との間に形成された隙間を通って前記貫通孔に挿通されていることにより、前述した課題を解決するものである。
このように構成された本請求項１に係る発明の水洗大便器装置によれば、導通部の貫通孔の少なくとも一部が、固定部材により覆われていることにより、導通部の一部が固定部材によって隠蔽されない場合に比べて、水洗大便器本体の幅方向（固定部材の長手方向と同じ方向）あるいは奥行方向（固定部材の短手方向と同じ方向）の長さが短くなるため、水洗大便器本体を小型化でき、水洗大便器装置全体を小型化できる。
また、導通部が、水洗大便器本体の上面と内部とを連通する貫通孔と、この貫通孔と連通して管状部材を貫通孔に導く凹状案内路とを有し、管状部材が、固定部材と前記凹状案内路との間に形成された隙間を通って貫通孔に挿通されていることにより、凹状案内路が管状部材を貫通孔に挿通する際のガイドとなるだけでなく、導通部の少なくとも一部が固定部材に覆われていても、管状部材を凹状案内路から貫通孔に挿入できるため、固定部材と貫通孔の一部とが重なっているような小型化された水洗大便器装置であっても、局部洗浄装置を水洗大便器本体に着脱する際に管状部材を簡便に水洗大便器本体内に挿通することができる。
【０００８】
本請求項２に係る発明は、請求項１に記載された水洗大便器装置の構成に加えて、前記導通部の凹状案内路が、前記固定部材の長手方向の端部よりも内側に位置していることにより、前述した課題を解決するものである。
このように構成された本請求項２に係る発明の水洗大便器装置によれば、請求項１に係る発明が奏する効果に加えて、導通部の凹状案内路が、固定部材の長手方向の端部よりも内側に位置していることにより、導通部の凹状案内路が固定部材の長手方向の端部よりも外側にある場合に比べて水洗大便器本体の幅方向の長さが短くなるため、水洗大便器本体を小型化でき、水洗大便器装置全体を小型化できる。
【０００９】
本請求項３に係る発明は、請求項１または請求項２に記載された水洗大便器装置の構成に加えて、前記管状部材の基端部が、前記固定部材の長手方向の一端近傍に位置しており、前記導通部の貫通孔が、前記固定部材の長手方向の他端近傍に位置していることにより、前述した課題を解決するものである。
このように構成された本請求項３に係る発明の水洗大便器装置によれば、請求項１または請求項２に係る発明が奏する効果に加えて、管状部材の基端部が、固定部材の長手方向の一端近傍に位置しており、導通部の貫通孔が、固定部材の長手方向の他端近傍に位置していることにより、固定部材の長手方向における管状部材の基端部と貫通孔との距離を長く確保できるため、効果的に管状部材の屈曲を防止することができる。
【００１０】
本請求項４に係る発明は、請求項１または請求項２に記載された水洗大便器装置の構成に加えて、前記管状部材の基端部と前記水洗大便器本体の導通部とが、前記固定部材の長手方向の中心線に対して前記水洗大便器本体の幅方向のいずれか一方に配置されていることにより、前述した課題を解決するものである。
このように構成された本請求項４に係る発明の水洗大便器装置によれば、請求項１または請求項２に係る発明が奏する効果に加えて、管状部材の基端部と水洗大便器本体の導通部とが、固定部材の長手方向の中心線に対して水洗大便器本体の幅方向のいずれか一方に配置されていることにより、管状部材の露出長さが短くなるため、管状部材の露出を抑えることができる。
【００１１】
本請求項５に係る発明は、請求項１乃至請求項４のいずれか１項に記載された水洗大便器装置の構成に加えて、前記管状部材が、前記局部洗浄装置へ洗浄水を供給する給水管および前記局部洗浄装置へ電力を供給する電気ケーブルのいずれかであることにより、前述した課題を解決するものである。
このように構成された本請求項５に係る発明の水洗大便器装置によれば、請求項１乃至請求項４のいずれか１項に係る発明が奏する効果に加えて、管状部材が、局部洗浄装置へ洗浄水を供給する給水管であっても、給水管の屈曲による局部洗浄装置への洗浄水の供給量低下が防止されるため、局部洗浄装置の局部洗浄機能が低下することを防ぐことができる。
また、管状部材が、局部洗浄装置へ電力を供給する電気ケーブルであっても、電気ケーブルの屈曲による断線を防ぐことができるため、局部洗浄装置が機能しなくなることを防ぐことができる。
【発明の効果】
【００１２】
本発明の水洗大便器装置によれば、小型化により固定部材と貫通孔の一部とが重なっていても、局部洗浄装置を水洗大便器本体に着脱する際に管状部材を簡便に水洗大便器本体内に挿通することができる。
【図面の簡単な説明】
【００１３】
【図１】本発明の第１実施形態である水洗大便器装置を示す斜視図。
【図２】本発明の第１実施形態である水洗大便器装置を示す側面図。
【図３】本発明の第１実施形態である水洗大便器装置を示す背面図。
【図４】本発明の第１実施形態である水洗大便器装置の水洗大便器本体の平面図。
【図５】図４のＶ−Ｖ線に沿って見た水洗大便器本体の部分断面図。
【図６】本発明の第１実施形態である水洗大便器装置の水洗大便器本体に局部洗浄装置が取り付けられた状態における、水洗大便器本体と管状部材と固定部材との位置関係を示す平面図（局部洗浄装置の図示は省略）。
【図７】本発明の第１実施形態である水洗大便器装置の固定部材に局部洗浄装置を取り付ける前の状態を示す斜視図。
【図８】本発明の第２実施形態である水洗大便器装置の水洗大便器本体の平面図。
【発明を実施するための形態】
【００１４】
以下、添付図面を参照して本発明の第１実施形態である水洗大便器装置１００について説明する。
＜１．第１実施形態の水洗大便器装置の概要＞
まず、図１乃至図３により、本実施形態である水洗大便器装置１００の概要について説明する。
図１は本発明の第１実施形態である水洗大便器装置１００を示す斜視図であり、図２は本発明の実施形態である水洗大便器装置１００を示す側面図であり、図３は本発明の第１実施形態による水洗大便器装置を示す背面図である。
【００１５】
図１に示すように、本実施形態による水洗大便器装置１００は、壁面Ｗに取り付けられていると共に床Ｆから離間している。
そして、水洗大便器装置１００は、汚物を受ける水洗大便器本体１１０と、この水洗大便器本体１１０の上方に配置されている局部洗浄装置１２０とを備えている。
この局部洗浄装置１２０は、洗浄ノズル、ノズル駆動用モータ、モータ制御装置等を備えた機能部１２１を有しており、洗浄ノズルから噴出される局部洗浄用の洗浄水により使用者の局部が洗浄される。
【００１６】
図２に示すように、壁面Ｗの内側には、洗浄水を貯水する貯水タンク１３０が設けられており、この貯水タンク１３０から伸びる給水配管１３１によって水洗大便器装置１００の水洗大便器本体１１０に洗浄水が供給される。
【００１７】
図３に示すように、局部洗浄装置１２０の背面（壁側）の左側に位置する露出部１２２において、局部洗浄装置１２０と管状部材１５０（給水管１５１および電気ケーブル１５２）の基端部１５０ａ（給水管基端部１５１ａおよび電気ケーブル基端部１５２ａ）とが接続されている。
そして、この露出部１２２は、局部洗浄装置１２０の左側側面に向けて開放されており、この開放された空間を隠蔽板１２３が隠蔽している。
管状部材１５０（給水管１５１および電気ケーブル１５２）は、後述する水洗大便器本体１１０の上面の導通部１１４を経由して水洗大便器本体１１０の内部を通った後、管状部材１５０の先端部１５０ｂ（給水管先端部１５１ｂおよび電気ケーブル先端部１５２ｂ）が水洗大便器本体１１０の背面に形成された管状部材取り出し孔１１１から水洗大便器本体１１０の外に延出される。
【００１８】
図２に示すように、給水管１５１の先端部１５１ｂには継手１５１ｃが取付けられ、電気ケーブル１５２の先端部１５２ｂにはプラグ１５２ｃが取り付けられている。
そして、これら給水管１５１の継手１５１ｃおよび電気ケーブル１５２のプラグ１５２ｃが、水洗大便器装置１００の外部である壁面Ｗに設けられた接続部１６０（給水管接続部１６１および電気ケーブル接続部１６２）にそれぞれ接続されている。
【００１９】
＜２．水洗大便器装置の詳細構造＞
次に、図４乃至図７により、本発明の第１実施形態による水洗大便器装置の詳細構造について説明する。
図４は本発明の第１実施形態による水洗大便器装置の水洗大便器本体の平面図であり、図５は図４のＶ−Ｖ線に沿って見た水洗大便器本体の部分断面図であり、図６は本発明の第１実施形態である水洗大便器装置の水洗大便器本体に局部洗浄装置が取り付けられた状態における、水洗大便器本体と管状部材と固定部材との位置関係を示す平面図（局部洗浄装置の図示は省略）であり、図７は本発明の第１実施形態である水洗大便器装置の固定部材に局部洗浄装置を取り付ける前の状態を示す斜視図である。
【００２０】
図４に示すように、水洗大便器本体１１０は、前方にボウル部１１２を備え、このボウル部１１２が貯水タンク１３０から供給された洗浄水により洗浄されることで汚物が排出される。
さらに、水洗大便器本体１１０の上面１１０ａのボウル部１１２より後方には、２つの取付孔１１３が形成されている。
これらの取付孔１１３に、左右方向（幅方向）に延びる矩形形状の固定部材１４０（図６および図７参照）がボルト等を介して固定され、この固定部材１４０に局部洗浄装置１２０が取り付けられることで、局部洗浄装置１４０は水洗大便器本体１１０と一体になる。
【００２１】
さらに、水洗大便器本体１１０のボウル部１１２よりも後方の右側部位には、前述した管状部材１５０（給水管１５１および電気ケーブル１５２）を水洗大便器本体１１０の上方から水洗大便器本体１１０の内部に通すための導通部１１４が形成されている。
さらに、導通部１１４は水洗大便器本体１１０の上面１１０ａに形成されており、水洗大便器本体１１０の上面１１０ａと水洗大便器本体１１０の内部とを連通する貫通孔１１４ａと、この貫通孔１４１と連通して管状部材１５０を貫通孔１１４ａに導く凹状案内路１１４ｂとを有している。
そして、導通部１１４は、凹状案内路１１４ｂから貫通孔１１４ａに沿って平面視で湾曲形状となっている。
また、導通部１１４の凹状案内路１１４ｂは、固定部材１４０の長手方向の両端よりも内側に形成されている（図６および図７参照）
【００２２】
図５に示すように、導通部１１４の凹状案内路１１４ｂは、水洗大便器本体１１０の上面１１０ａと滑らかに接続されていると共に水洗大便器本体１１０の右外側に向かって下方に傾斜している。
また、導通部１１４の貫通孔１１４ａは、管状部材１５０の延びる方向且つ下方に向けて断面が拡張している。
【００２３】
図６に示すように、水洗大便器本体１１０の上面後方部位に固定された固定部材１４０は、導通部１１４の貫通孔１１４ａの一部および凹状案内路１１４ｂの一部を覆っている。
そして、導通部１１４の凹状案内路１１４ｂは、その一部が固定部材１４０よりも後方（壁側）となるように形成されており、管状部材１５０を挿入可能な程度の開放領域Ｖが確保されている。
また、固定部材１４０と導通部１１４の凹状案内路１１４ｂとの間には、給水管１５１および電気ケーブル１５２が挿通できる程度に開口された隙間が形成されており、この隙間に給水管１５１および電気ケーブル１５２が挿通されている。
【００２４】
さらに、局部洗浄装置１２０の露出部１２２（管状部材１５０の基端部１５０ａ）と導通部１１４とは、それぞれ、固定部材１４０の長手方向（左右方向）の両端部近傍に配置されている。
すなわち、局部洗浄装置１２０の露出部１２２（管状部材１５０の基端部１５０ａ）と導通部１１４とは、水洗大便器装置１００の前後方向に延びる左右方向の中心線Ｃを挟んで配置されている。
これにより、管状部材１５０の基端部１５０ａと導通部１１４とは、固定部材１４０の長手方向で離間することになり、両者の間の距離を長くとれる。
【００２５】
なお、本実施形態では、局部洗浄装置１２０の露出部１２２（管状部材１５０の基端部１５０ａ）は固定部材１４０の長手方向の中心線Ｃに対して左側に位置しており、導通部１１４は中心線Ｃに対して右側に形成されているが、両者は中心線Ｃを挟んでいれば良く、両者が左右方向に逆の位置に配置されてもよい。
【００２６】
＜３．局部洗浄装置を水洗大便器本体へ取り付ける手順＞
次に、本発明の第１実施形態による局部洗浄装置１２０を水洗大便器本体１１０へ取り付ける取付手順を説明する。
【００２７】
給水管１５１の継手１５１ｃおよび電気ケーブル１５２のプラグ１５２ｃが給水管１５１および電気ケーブル１５２の直径よりも大きいため、貫通孔１１４ａの一部を固定部材１４０が塞ぐ前に貫通孔１１４ａに挿入する必要がある。
したがって、まず、継手１５１ｃが取付けられた給水管１５１の先端部１５１ｂおよびプラグ１５２ｃが取付けられた電気ケーブル１５２の先端部１５１ｂを凹状案内路１１４ｂから導通部１１４に挿入する。
【００２８】
続いて、図６および図７に示すように、最終的に固定部材１４０の上に局部洗浄装置１２０が配置されることより、管状部材１５０が固定部材１４０の後方側に取り回しつつ、水洗大便器本体１１０の取付孔１１２に固定部材１４０を取り付ける。
そして、管状部材１５０（給水管１５１および電気ケーブル１５２）が導通部１１４に挿入された状態で、局部洗浄装置１２０を固定部材１４０に対して後方にスライドさせて固定部材１４０に固定することで、局部洗浄装置１２０が水洗大便器本体１１０に取り付けられる。
なお、局部洗浄装置１２０を水洗大便器本体１１０から取り外す場合は、固定部材１４０に対して局部洗浄装置１２０を前方にスライドさせればよい。
【００２９】
局部洗浄装置１２０を後方にスライドさせる際、給水管１５１および電気ケーブル１５２は、これらの基端部１５１ａ、１５２ａと導通部１１４とが左右方向に沿って離間して両者の距離が長くなるので、局部洗浄装置１２０の左側端部から導通部１１４に向かって大きな円弧状に延びることができ、それにより、給水管１５１および電気ケーブル１５２には無理な外力が作用せず、大きく屈曲することを防止できる。
【００３０】
また、局部洗浄装置１２０を後方にスライドさせる際、給水管１５１および電気ケーブル１５２が導通部１１４の凹状案内路１１４ｂの下方に傾斜した凹部形状の面によりガイドされながら貫通孔１１４ａに向かって移動し、かつ、貫通孔１１４ａが給水管１５１および電気ケーブル１５２が延びる方向で且つ下方に向けて拡張されているため、給水管１５１および電気ケーブル１５２を導通部１１４内に容易に通すことができる。
さらに、給水管１５１および電気ケーブル１５２に無理な外力も作用しないので、この点からも大きく屈曲することを防止できる。
【００３１】
なお、本実施形態では、局部洗浄装置１２０を固定部材１４０に対して後方にスライドさせて固定部材１４０に固定することで、局部洗浄装置１２０を水洗大便器本体１１０に取り付けたが、固定部材１４０に局部洗浄装置１２０を載置するようなものであってもよい。
【００３２】
＜４．第１実施形態の水洗大便器装置の作用効果＞
このようにして得られた本実施形態の水洗大便器装置１００は、導通部１１４の貫通孔１１４ａの少なくとも一部が、固定部材１４０により覆われていることにより、導通部１１４の一部が固定部材１４０によって隠蔽されない場合に比べて、水洗大便器本体１１０の幅方向（固定部材１４０の長手方向と同じ方向）あるいは奥行方向（固定部材１４０の短手方向と同じ方向）の長さが短くなるため、水洗大便器本体１１０を小型化でき、水洗大便器装置１００全体を小型化できる。
また、導通部１１４が、水洗大便器本体１１０の上面と内部とを連通する貫通孔１１４ａと、この貫通孔１１４ａと連通して管状部材１５０を貫通孔に導く凹状案内路１１４ｂとを有し、管状部材１５０が、固定部材１４０と凹状案内路１１４ｂとの間に形成された隙間を通って貫通孔１１４ａに挿通されていることにより、凹状案内路１１４ｂが管状部材１５０を貫通孔１１４ａに挿通する際のガイドとなるだけでなく、導通部１１４の少なくとも一部が固定部材１４０に覆われていても、管状部材１５０を凹状案内路１１４ｂから貫通孔１１４ａに挿入できるため、固定部材と貫通孔の一部とが重なっているような小型化された水洗大便器装置であっても、局部洗浄装置１２０を水洗大便器本体１１０に着脱する際に管状部材１５０を簡便に水洗大便器本体１１０内に挿通することができる。
【００３３】
さらに、導通部１１４の凹状案内路１１４ｂが、固定部材１４０の長手方向の端部よりも内側に位置していることにより、導通部１１４の凹状案内路１１４ｂが固定部材１４０の長手方向の端部よりも外側にある場合に比べて水洗大便器本体１１０の幅方向の長さが短くなるため、水洗大便器本体１１０を小型化でき、水洗大便器装置１００全体を小型化できる。
【００３４】
また、管状部材１５０の基端部１５０ａが、固定部材１４０の長手方向の一端近傍に位置しており、導通部１１４の貫通孔１１４ａが、固定部材１４０の長手方向の他端近傍に位置していることにより、固定部材１４０の長手方向における管状部材１５０の基端部１５０ａと貫通孔１１４ａとの距離を長く確保できるため、効果的に管状部材の屈曲を防止することができる。
【００３５】
さらに、管状部材１５０が、局部洗浄装置１２０へ洗浄水を供給する給水管１５１であっても、給水管１５１の屈曲による局部洗浄装置１２０への洗浄水の供給量低下が防止されるため、局部洗浄装置１２０の局部洗浄機能が低下することを防ぐことができる。
また、管状部材１５０が、局部洗浄装置１２０へ電力を供給する電気ケーブル１５２であっても、電気ケーブル１５２の屈曲による断線を防ぐことができるため、局部洗浄装置１２０が機能しなくなることを防ぐことができる。
【００３６】
＜５．第２実施形態の水洗大便器装置＞
次に、本発明の第２実施形態である水洗大便器装置の水洗大便器本体の平面図である図８を用いて、本発明の第２実施形態による水洗大便器装置２００を説明する。
本発明の第２実施形態は導通部の位置が第１実施形態と異なっており、多くの要素について第１実施形態の水洗大便器装置１００と共通するので、共通する事項については詳しい説明を省略し、下２桁が共通する１００番台の符号を付すのみとする。
【００３７】
図８に示すように、本実施形態において、管状部材２５０（給水管２５１および電気ケーブル２５２）を水洗大便器本体２１０の上方から水洗大便器本体２１０の内部に通すための導通部２１４は、水洗大便器本体２１０のボウル部２１２よりも後方に配置されており、中心線Ｃよりも左側に配置されている。
すなわち、水洗大便器本体２１０の導通部２１４は、管状部材２５０の基端部２５０ａと共に、固定部材２４０の長手方向の中心線Ｃに対して水洗大便器本体２１０の幅方向の左側に配置されている。
なお、水洗大便器本体２１０の導通部２１４は、管状部材２５０の基端部２５０ａと共に、固定部材２４０の長手方向の中心線Ｃに対して水洗大便器本体２１０の幅方向の右側に配置されていてもよい。
【００３８】
そして導通部２１４は、水洗大便器本体２１０の上面２１０ａに形成されており、水洗大便器本体２１０の上面２１０ａと水洗大便器本体１１０の内部とを連通する貫通孔２１４ａと、この貫通孔２１４ａと連通して管状部材２５０を貫通孔２１４ａに導く凹状案内路２１４ｂとを有している。
そして、導通部２１４は、凹状案内路２１４ｂから貫通孔２１４ａに沿って平面視で湾曲形状となっている。
【００３９】
＜６．局部洗浄装置を水洗大便器本体へ取り付ける手順＞
続いて本発明の第２実施形態による局部洗浄装置２２０を水洗大便器本体２１０へ取り付ける取付手順を説明する。
まず、管状部材２５０（給水管２５１および電気ケーブル２５２）の先端部２５０ｂ（給水管先端部２５１ｂおよび電気ケーブル先端部２５２ｂ）を凹状案内路２１４ｂから導通部２１４に挿入する。
【００４０】
続いて、最終的に固定部材２４０の上に局部洗浄装置２２０が配置されることより、管状部材２５０が固定部材２４０の後方側に取り回しつつ、水洗大便器本体２１０の取付孔２１２に固定部材２４０を取り付ける。
そして、固定部材２４０に局部洗浄装置２２０を載置する。
【００４１】
＜７．第２実施形態の水洗大便器装置の作用効果＞
このようにして得られた本実施形態の水洗大便器装置２００は、導通部２１４の貫通孔２１４ａの少なくとも一部が、固定部材２４０により覆われていることにより、導通部２１４の一部が固定部材２４０によって隠蔽されない場合に比べて、水洗大便器本体２１０の幅方向（固定部材２４０の長手方向と同じ方向）あるいは奥行方向（固定部材２４０の短手方向と同じ方向）の長さが短くなるため、水洗大便器本体２１０を小型化でき、水洗大便器装置２００全体を小型化できる。
また、導通部２１４が、水洗大便器本体２１０の上面と内部とを連通する貫通孔２１４ａと、この貫通孔２１４ａと連通して管状部材２５０を貫通孔に導く凹状案内路２１４ｂとを有し、管状部材２５０が、固定部材１４０と凹状案内路２１４ｂとの間に形成された隙間を通って貫通孔２１４ａに挿通されていることにより、凹状案内路２１４ｂが管状部材２５０を貫通孔２１４ａに挿通する際のガイドとなるだけでなく、導通部２１４の少なくとも一部が固定部材２４０に覆われていても、管状部材２５０を凹状案内路２１４ｂから貫通孔２１４ａに挿入できるため、固定部材と貫通孔の一部とが重なっているような小型化された水洗大便器装置であっても、局部洗浄装置２２０を水洗大便器本体２１０に着脱する際に管状部材２５０を簡便に水洗大便器本体２１０内に挿通することができる。
【００４２】
さらに、導通部２１４の凹状案内路２１４ｂが、固定部材２４０の長手方向の端部よりも内側に位置していることにより、導通部２１４の凹状案内路２１４ｂが固定部材２４０の長手方向の端部よりも外側にある場合に比べて水洗大便器本体２１０の幅方向（固定部材２４０の長手方向と同じ方向）の長さが短くなるため、水洗大便器本体２１０を小型化でき、水洗大便器装置全体２００を小型化できる。
【００４３】
また、管状部材２５０の基端部２５０ａと水洗大便器本体２１０の導通部２１４とが、固定部材２４０の長手方向の中心線Ｃに対して水洗大便器本体２１０の幅方向のいずれか一方に配置されていることにより、管状部材２５０の露出長さが短くなるため、管状部材２５０の露出を抑えることができる。
【００４４】
さらに、管状部材２５０が、局部洗浄装置２２０へ洗浄水を供給する給水管２５１であっても、給水管２５１の屈曲による局部洗浄装置２２０への洗浄水の供給量の低下が防止されるため、局部洗浄装置２２０の局部洗浄機能が低下することを防ぐことができる。
また、管状部材２５０が、局部洗浄装置２２０へ電力を供給する電気ケーブル２５２であっても、電気ケーブル２５２の屈曲による断線を防ぐことができるため、局部洗浄装置２２０が機能しなくなることを防ぐことができる。
【符号の説明】
【００４５】
１００、  ２００    ・・・  水洗大便器装置
１１０、  ２１０    ・・・  水洗大便器本体
１１０ａ、２１０ａ  ・・・  上面
１１１              ・・・  管状部材取り出し孔
１１２、  ２１２    ・・・  ボウル部
１１３、  ２１３    ・・・  取付孔
１１４、  ２１４    ・・・  導通部
１１４ａ、２１４ａ  ・・・  貫通孔
１１４ｂ、２１４ｂ  ・・・  凹状案内路
１２０、  ２２０    ・・・  局部洗浄装置
１２１              ・・・  機能部
１２２              ・・・  露出部
１２３              ・・・  隠蔽蓋
１３０              ・・・  貯水タンク
１３１              ・・・  給水配管
１４０、  ２４０    ・・・  固定部材
１５０、  ２５０    ・・・  管状部材
１５０ａ、２５０ａ  ・・・  基端部
１５０ｂ、２５０ｂ  ・・・  先端部
１５１、  ２５１    ・・・  給水管
１５１ａ            ・・・  給水管基端部
１５１ｂ、２５１ｂ  ・・・  給水管先端部
１５１ｃ            ・・・  継手
１５２、  ２５２    ・・・  電気ケーブル
１５２ａ            ・・・  電気ケーブル基端部
１５２ｂ、２５２ｂ  ・・・  電気ケーブル先端部
１５２ｃ            ・・・  プラグ
１６０              ・・・  接続部
１６１              ・・・  給水管接続部
１６２              ・・・  電気ケーブル接続部
Ｆ                ・・・  床
Ｗ                ・・・  壁面
Ｃ                ・・・  中心線
Ｖ                ・・・  開放領域
【図１】
0006327582.tif 000002
【図２】
0006327582.tif 000003
【図３】
0006327582.tif 000004
【図４】
0006327582.tif 000005
【図５】
0006327582.tif 000006
【図６】
0006327582.tif 000007
【図７】
0006327582.tif 000008
【図８】
0006327582.tif 000009